(57)【特許請求の範囲】
【請求項１】
電気製品が載置台に載置されて収納され、扉が設けられたキャビネットと、
このキャビネットの上部に設けられ、送風機及び排気口を備えた蒸気排出ユニットを有する電気製品収納庫において、
前記キャビネットの前面の下方に設けられ、外部と前記キャビネット内を連通する第１の吸気口と、
この第１の吸気口の下方に設けられた第２の吸気口と、
この第２の吸気口に連通し、前記載置台と前記キャビネットの底部間に設けられた通気路と、
この通気路に連通し、前記載置台の後端と前記キャビネットの後部間に設けられた後部通気開口とが設けられたことを特徴とする電気製品収納庫。
【請求項２】
前記第１の吸気口は、扉の下部に設けられたことを特徴とする請求項１に記載の電気製品収納庫。
【請求項３】
前記通気路に連通し、前記載置台の両側端と前記キャビネットの両側面間に側部通気開口が設けられたことを特徴とする請求項１または２に記載の電気製品収納庫。
【請求項４】
前記第１の吸気口及び前記第２の吸気口は、前記キャビネットの略開口の長手方向の長さと等しい幅を有することを特徴とする請求項１ないし３のいずれか１項に記載の電気製品収納庫。
【請求項５】
前記第１の吸気口の出口側近傍には、この第１の吸気口に沿って延び吸い込まれた空気を上方に導くガイド部材が設けられたことを特徴とする請求項１ないし４のいずれか１項に記載の電気製品収納庫。
【請求項６】
前記キャビネットの後部角部には、前記後部通気開口から吹き出される空気を蒸気排出ユニットの蒸気吸込口に導く風向板が設けられたことを特徴とする請求項１ないし５のいずれか１項に記載の電気製品収納庫。
【発明の詳細な説明】
【技術分野】
【０００１】
本発明は電気製品収納庫に係り、特に蒸気排出ユニットを備え、キャビネット内の空気の流れを改良した電気製品収納庫に関する。
【背景技術】
【０００２】
従来、電気製品収納庫に収納された炊飯器、電気ポットあるいはコーヒーメーカーなどの電気製品の加熱時に発生する蒸気を外部に排出するために、電気製品収納庫に蒸気排出ユニットを組み込んでいる。
【０００３】
この種の電気製品収納庫は、システムキッチンに組み込まれて使用されることが多く、美観上及び生活臭をなくすため、収納庫内部に収納された炊飯器、ポットのような電気製品が外部から見えないように、収納庫の前面に扉を設けている。
【０００４】
このような扉を閉塞した状態で、蒸気排出ユニットにより熱気や水蒸気を排気しても十分な排気が行なわれない。
【０００５】
そこで、扉下端に設ける隙間からキャビネットに吸い込んだ空気を電気製品が載置される底板と収納庫底部間の通気路、底板の中央近傍に設けた通気孔を介してキャビネットに導入する家庭電気製品収納庫が提案されている（例えば、特許文献１参照）。
【０００６】
しかしながら、特許文献１に記載の家庭電気製品収納庫は、通気孔が底板に載置される電気製品の底部に対向して配されるため、スムーズな空気の流れが妨げられ、十分な排気が行なえず、水蒸気を庫外に十分に排出できない。
【特許文献１】特開２００８−３６２２４号公報
【発明の開示】
【発明が解決しようとする課題】
【０００７】
本発明は上述した事情を考慮してなされたもので、キャビネット空気の排出がスムーズに行なえて、十分に水蒸気を庫外に排出できる家庭電気製品収納庫を提供することを目的とする。
【課題を解決するための手段】
【０００８】
上述した目的を達成するため、本発明に係る電気製品収納庫は、電気製品が載置台に載置されて収納され、扉が設けられたキャビネットと、このキャビネットの上部に設けられ、送風機及び排気口を備えた蒸気排出ユニットを有する電気製品収納庫において、前記キャビネットの前面の下方に設けられ、外部と前記キャビネット内を連通する第１の吸気口と、この第１の吸気口の下方に設けられた第２の吸気口と、この第２の吸気口に連通し、前記載置台と前記キャビネットの底部間に設けられた通気路と、この通気路に連通し、前記載置台の後端と前記キャビネットの後部間に設けられた後部通気開口とが設けられたことを特徴とする。
【発明の効果】
【０００９】
本発明に係る電気製品収納庫によれば、キャビネットの扉を閉じた状態で電気製品を使用した場合でも、キャビネット空気の排出がスムーズに行なえて、十分に水蒸気を庫外に排出できる家庭電気製品収納庫を提供することができる。
【発明を実施するための最良の形態】
【００１０】
本発明の一実施形態に係る電気製品収納庫について図面を参照して説明する。
【００１１】
図１は本発明の一実施形態に係る電気製品収納庫の正面図、図２は本電気製品収納庫の奥行方向の縦断面図、図３は本電気製品収納庫の扉開放、載置台引き出し時の縦断面図である。
【００１２】
図１〜図３に示すように、本発明の一実施形態に係る電気製品収納庫１は、キャビネット２を備え、このキャビネット２には、半透明の窓３ａを備えた扉３が設けられ、キャビネット２の内部の上部には、蒸気排出ユニット４が設けられ、下部には載置台５が設けられる。
【００１３】
ここで、半透明とは、通常の状態ではキャビネットに収容された電気製品を明確には視認できないが、ＬＥＤの光や炎を視認できる程度の透光性を有するものを意味する。例えば、窓の材質としては、ポリスチレン樹脂、アクリル樹脂、ポリカーボネート、ガラスなどがあげられ、ポリスチレン樹脂、アクリル樹脂、ポリカーボネートは表面にエンボス加工を施し、半透明にし、ガラスは着色コーティングして半透明にする。
【００１４】
扉３はいわゆるスイングダウン方式のヒンジ（図示せず）によってキャビネット２に取り付けられ、開放時垂直状態でキャビネット２の前面下方まで移動可能で、載置台５の引き出しの邪魔にならないようになっている。
【００１５】
図４に示すように、蒸気排出ユニット４は、扁平直方体状のユニット本体６を備え、ユニット本体６の外周側面には蒸気排出口７が設けられ、ユニット本体６内には送風機８が設けられ、ユニット本体６の底面部９には、このユニット本体６の一部をなす凹部形成板１０によって形成され、底面が平らで扁平略矩形状の凹部１１が設けられ、この凹部１１の略全体を覆うように平板状の２枚の蒸気分散板１２が取り付けられ、凹部１１と蒸気分散板１２、及び両蒸気分散板１２間に設けられる蒸気吸込口１３が設けられる。
【００１６】
また、キャビネット２の内部の下部には、電気製品が載置される載置台５が設けられる。
【００１７】
さらに、キャビネット２の前面の下端近傍、例えば扉３の下部には、外部とキャビネット２内を連通する第１の吸気口１４が設けられ、キャビネット２の略開口の長手方向の長さと等しい幅を有する。
【００１８】
図５に示すように、第１の吸気口１４の出口側近傍には、この第１の吸気口１４に沿って延び、断面略Ｌ字状をなし、吸い込まれた空気を上方に導くガイド部材１５が設けられる。
【００１９】
また、この第１の吸気口１４の下方には第１の吸気口１４と平行に第２の吸気口１６が設けられる。この第２の吸気口１６は外部とキャビネット２内を連通し、載置台５の前面下端５ａとキャビネット２の底面２ｂ間に設けられ、キャビネット２の略開口の長手方向の長さと等しい幅を有する。
【００２０】
載置台５はキャビネット２の側面２ｓに設けるガイドレール（図示せず）と載置台５に設けるローラ（図示せず）により、引き出し自在に設けたられ、載置台５とキャビネット２の底面２ｂ間には、通気路１７をなす、隙間が設けられる。
【００２１】
図２及び図６に示すように、この通気路１７は入口側で第２の吸気口１６に連通し、出口側で載置台５の後端５ａとキャビネット２の後面２ｒ間に設けられ、空気ガイド用の立上１８ａを備えた後部通気開口１８に連通する。さらに、この通気路１７はキャビネット２の両側面２ｓと載置台５の両側部５ｂで両側部通気開口１９に連通する。
【００２２】
再び、図１に示すように、キャビネット２の後部角部には、後部通気開口１８から吹き出される空気を蒸気排出ユニット４の蒸気吸込口１３に導く風向板２０が設けられる。
【００２３】
なお、符号２５は温度センサーであり、キャビネット２内を流れる空気温度が、設定温度以上になると、これを検知して、リレー開閉スイッチを介して電気製品の給電をとめる働きをする。符号２６は電気製品のソケットが挿入される給電用のコンセント、符号２７は制御スイッチ、符号２８は表示部、符号２９は電気製品の載置限界を決めるストッパーである。
【００２４】
次に本実施形態の電気製品収納庫を用いたキャビネット内の排気作用について説明する。
【００２５】
図３に示すように、扉３を開放し、載置台５を引き出し、載置台５に電気製品例えば炊飯器を載置する。
【００２６】
図７に示すように、扉３を閉め、炊飯を開始する。
【００２７】
炊飯を開始し、炊飯が進行すると、炊飯器から水蒸気が発生し、キャビネット２内に放出される。
【００２８】
一方、炊飯を開始に伴って、送風機８の作用により、外気が第１の吸気口１４及び第２の吸気口１６からキャビネット２内に吸い込まれる。
【００２９】
図８及び図９に示すように、第１の吸気口１４からキャビネット２内に吸い込まれた空気は、第１の吸気口１４の出口側近傍に設けた断面略Ｌ字状のガイド部材１５により、上方に導かれる。
【００３０】
上方に導かれた空気は、主として窓３ａ及び炊飯器の手前側外周に沿って、上方に流れ、炊飯器から発生し主として炊飯器の手前側に滞留する水蒸気を巻き込んで、蒸気吸込口１３、送風機８及び蒸気排出口７から外部に排出される。また、窓３ａに沿って流れる空気流（層）によって、窓３ａにエンボス加工が施されていても、水蒸気が窓３ａに付着するのが防止される。
【００３１】
これに対して、後部通気開口１８から吹き出された空気は、炊飯器に遮蔽されることなく、立上１８ａとキャビネット２の後面２ｒに沿って上方に流れ、風向板２０に案内されて、斜め上方に流れ、炊飯器から発生し主として炊飯器の後側に滞留する水蒸気を巻き込んで、蒸気吸込口１３、送風機８及び蒸気排出口７から外部に排出され、さらに、空気は通気路１７に連通する側部通気開口１９からも吹き出され、側面２ｓに沿って上方に流れ、炊飯器から発生し主として炊飯器の両側に滞留する水蒸気を巻き込んで、蒸気吸込口１３、送風機８及び蒸気排出口７から外部に排出される。
【００３２】
上記のように炊飯器から発生する水蒸気は、第１の吸気口１４及び第２の吸気口１６から吸い込んだ空気により、滞留することなく、速やかかつ確実に外部に排出され、キャビネット２内に水滴が付着することがない。
【００３３】
特に第１の吸気口１４を扉３の下部に設け、第２の吸気口１６をキャビネット２の前面下部２ａに設け、第１の吸気口１４から吸い込まれた空気を炊飯器の前側に沿って上方に流し、第２の吸気口１６から吸い込まれた空気を後部通気開口１８から上方に流すので、キャビネット２内を流れる空気は整然と流れ、速やかな水蒸気の排出が行なえる。
【００３４】
また、これに加えて、側部通気開口１９からも空気を吹き出し、上方に流すので、炊飯器の全周に沿って空気が流れることになり、キャビネット２内の水蒸気は、滞留することなく、速やかかつ確実に外部に排出される。
【００３５】
さらに、第１の吸気口１４及び第２の吸気口１６が、キャビネット２の略開口の長手方向の長さと等しい幅を有するので、キャビネット２内を広範囲に流すことができる。
【００３６】
また、第１の吸気口１４に沿って延びる吸気された空気を上方に導くガイド部材１５を設けるので、窓３ａ及び炊飯器の手前側外周に沿って、上方に流れ、炊飯器から発生し主として炊飯器の手前側に滞留する水蒸気は滞留することなく、速やかかつ確実に外部に排出される。特に窓３ａが半透明の場合においては、窓３ａへの蒸気の付着が抑えられ、視認性の向上を図ることができ、万が一、電気製品が発火した場合などには、早期に確認することが可能となる。
【００３７】
さらに、風向板２０が設けられるので、キャビネット２の後部角部に空間が形成されても、後部角部に水蒸気が滞留することがない。
【００３８】
本実施形態の電気製品収納庫によれば、キャビネット空気の排出がスムーズに行なえて、十分に水蒸気を庫外に排出できる家庭電気製品収納庫が実現する。
【００３９】
なお、本実施形態では、図１に示すように、平板状の風向板２０を例にとり説明したが、図１０に示すように、円弧状に曲げた風向板２０Ａを用いてもよく、よりスムーズな空気の案内ができる。
【００４０】
なお、本実施形態では、炊飯器のみをキャビネット内に載置して使用した例で説明したが、ポットなど、複数の電気製品を並置して使用することができる。
【００４１】
このようなキャビネットに用いられる扉は、高さ寸法より幅寸法が長くなっており、窓の長さもほぼ同様の関係になっていることから、この扉の幅寸法側に幅寸法と同様の第１の吸気口を設けることで、より確実に、窓への蒸気の付着を抑えることが可能となる。
【図面の簡単な説明】
【００４２】
【図１】本発明の一実施形態に係る電気製品収納庫の正面図。
【図２】本発明の一実施形態に係る電気製品収納庫の奥行方向の縦断面図。
【図３】本発明の一実施形態に係る電気製品収納庫の扉開放、載置台引き出し時の縦断面図。
【図４】本発明の一実施形態に係る電気製品収納庫に用いる蒸気排出ユニットの斜視図。
【図５】本発明の一実施形態に係る電気製品収納庫に用いる扉の裏面を示す斜視図。
【図６】本発明の一実施形態に係る電気製品収納庫に用いる載置台の設置状態を示す平面図。
【図７】本発明の一実施形態に係る電気製品収納庫の使用状態を示す斜視図。
【図８】本発明の一実施形態に係る電気製品収納庫の使用状態を示す縦断面図。
【図９】本発明の一実施形態に係る電気製品収納庫の使用状態の空気流を示す概念図。
【図１０】本発明の一実施形態に係る電気製品収納庫に用いる風向板の変形例の使用状態図。
【符号の説明】
【００４３】
１  電気製品収納庫
２  キャビネット
２ａ  前面下端
２ｂ  底面
２ｓ  側面
２ｒ  後面
３  扉
３ａ  窓
４  蒸気排出ユニット
５  載置台
５ａ  後端
５ｂ  側部
６  ユニット本体
７  蒸気排出口
８  送風機
９  底面部
１０  凹部形成板
１１  凹部
１２  蒸気分散板
１３  蒸気吸込口
１４  第１の吸気口
１５  ガイド部材
１６  第２の吸気口
１７  通気路
１８  後部通気開口
１８ａ  立上
１９  側部通気開口
２０  風向板
２５  温度センサー
２６  コンセント
２７  制御スイッチ
２８  表示部
２９  ストッパー
【図１】
0005035905.tif 000002
【図２】
0005035905.tif 000003
【図３】
0005035905.tif 000004
【図４】
0005035905.tif 000005
【図５】
0005035905.tif 000006
【図６】
0005035905.tif 000007
【図７】
0005035905.tif 000008
【図８】
0005035905.tif 000009
【図９】
0005035905.tif 000010
【図１０】
0005035905.tif 000011